(57)【要約】      （修正有）【課題】ねじる動作の訓練運動が行いやすく、高度な巧緻性と手指の筋力を要求する様な訓練が可能な作業療法用器具を提供する。【解決手段】少なくとも一つの貫通孔２１を備えた本体部２と、貫通孔２１に挿入される棒状部と、本体部２を支持する支持部と、棒状部を係止する受け部とを少なくとも備え、棒状部には、挿入側係止部が少なくとも備えられ、受け部には、受側係止部が少なくとも備えられており、受側係止部は、貫通孔２１に挿入された棒状部の少なくとも一部が挿入され、棒状部がその軸線を中心に受け部に対して相対的に回転されると、挿入側係止部を回転自在に係止することを特徴とする作業療法用器具１である。【選択図】図３
0003211928.tif 000002
【実用新案登録請求の範囲】
【請求項１】
少なくとも一つの貫通孔を備えた本体部と、
前記貫通孔に挿入される棒状部と、
前記本体部を支持する支持部と、
前記棒状部を係止する受け部と、
を少なくとも備え、
前記棒状部には、挿入側係止部が少なくとも備えられ、
前記受け部には、前記挿入側係止部が係止される受側係止部が少なくとも備えられており、
前記受側係止部に前記貫通孔に挿入された前記棒状部の少なくとも一部が挿入され、前記棒状部をその軸線を中心に前記受け部に対して相対的に回転させると、前記挿入側係止部は前記受側係止部と相対的に回転し、前記挿入側係止部と前記受側係止部とが係止されることを特徴とする
作業療法用器具。
【請求項２】
前記受け部は、前記本体部とは別体として構成されていることを特徴とする請求項１に記載の作業療法用器具。
【請求項３】
前記受け部は、前記貫通孔を囲む前記本体部の部分と一体に設けられていることを特徴とする請求項１に記載の作業療法用器具。
【請求項４】
前記挿入側係止部は、前記棒状部の少なくとも一部に形成された雄ねじであり、
前記受側係止部は、前記受け部の少なくとも一部に形成された前記雄ねじと噛み合う雌ねじであることを特徴とする
請求項１から請求項３のいずれか１項に記載の作業療法用器具。
【請求項５】
前記棒状部の前記貫通孔への挿入方向側の先部には、前記棒状部の軸線と直交する断面積が、前記挿入側係止部の前記断面積より狭い挿入ガイド部が設けられていることを特徴とする請求項１から請求項４のいずれか１項に記載の作業療法用器具。
【請求項６】
前記棒状部には、
前記挿入側係止部と前記受側係止部が係止する範囲において、前記棒状部を前記貫通孔への挿入方向とは反対の方向に付勢する付勢部材が備えられていることを特徴とする請求項１から請求項５のいずれか１項に記載の作業療法用器具。
【請求項７】
前記受け部には、
前記挿入側係止部と前記受側係止部が係止する範囲において、前記棒状部の回転に必要となる力を増加させる回転抵抗部が備えられていることを特徴とする請求項１から請求項６のいずれか１項に記載の作業療法用器具。
【請求項８】
前記棒状部の前記貫通孔への挿入方向と反対側の端部には、ハンドル部が設けられていることを特徴とする請求項１から請求項７のいずれか１項に記載の作業療法用器具。
【請求項９】
前記支持部には、
前記本体部と前記支持部のなす角度を任意の角度で保持する角度変更保持部が備えられていることを特徴とする請求項１から請求項８のいずれか１項に記載の作業療法用器具。
【請求項１０】
前記支持部には、
前記本体部を脱着可能に保持する保持部が備えられていることを特徴とする請求項１から請求項９のいずれか１項に記載の作業療法用器具。
【考案の詳細な説明】
【技術分野】
【０００１】
本考案は、主に手指の機能改善を図るための作業療法に用いて好適な、作業療法用器具に関する。
【背景技術】
【０００２】
リハビリテーション分野において行われる作業療法では、上肢や手指の機能改善を図る治療活動のために様々な器具が用いられている。特に病院やリハビリ施設では、握る動作改善のための円柱ブロックや、つまむ動作改善のための小さなブロックなどの器具が広く用いられている。一方、家庭における日常生活や職場環境では、この握る動作やつまむ動作の他、より高度な手指機能である「ねじる」動作も必要となる。そして、このねじる動作改善のための訓練を行う器具も考えられている（例えば、特許文献１参照。）。
【先行技術文献】
【特許文献】
【０００３】
【特許文献１】特開２００８−４２３号公報
【考案の概要】
【考案が解決しようとする課題】
【０００４】
上述の特許文献１に記載された器具では、台座に複数の雌ねじを埋め込んだだけの構成をしているため、動作改善のための訓練（リハビリ運動）を行う患者等は、テーブルなどの水平な面に設置された台座に対して、雄ねじを垂直に挿入しなければならない。このため、患者等の手指の可動域が制限されている場合などには、リハビリ運動を行いにくいことがあるという問題があった。また、多くのねじる動作を行うためには、より長い雄ねじを使用する必要があり、そのために台座を貫通する雌ねじを設ける必要があるが、特許文献１に記載された器具では、台座を貫通した雄ねじの先端がテーブルなどの面と当接し、台座がテーブルから離れて不安定な状態になってしまう。このため、雄ねじを長くする事ができず、ねじる動作の回数が制限され、十分な訓練を行うことができないという問題があった。
【０００５】
本考案は、上記の課題を解決するためになされたものであって、ねじる動作の訓練運動が行いやすく、高度な巧緻性と手指の筋力を要求する様な訓練が可能な作業療法用器具を提供することを目的とする。
【課題を解決するための手段】
【０００６】
上記目的を達成するために、本考案は、以下の手段を提供する。
本考案の作業療法用器具は、少なくとも一つの貫通孔を備えた本体部と、前記貫通孔に挿入される棒状部と、前記本体部を支持する支持部と、前記棒状部を係止する受け部とを少なくとも備え、前記棒状部には、挿入側係止部が少なくとも備えられ、前記受け部には、前記挿入側係止部が係止される受側係止部が少なくとも備えられており、前記受側係止部に前記貫通孔に挿入された前記棒状部の少なくとも一部が挿入され、前記棒状部をその軸線を中心に前記受け部に対して相対的に回転させると、前記挿入側係止部は前記受側係止部と相対的に回転し、前記挿入側係止部と前記受側係止部とが係止されることを特徴とする。
【０００７】
上記考案においては、前記受け部は、前記本体部とは別体として構成されていることを特徴とすることが好ましい。
上記考案においては、前記受け部は、前記貫通孔を囲む前記本体部の部分と一体に設けられていることを特徴とすることが好ましい。
【０００８】
上記考案においては、前記挿入側係止部は、前記棒状部の少なくとも一部に形成された雄ねじであり、前記受側係止部は、前記受け部の少なくとも一部に形成された前記雄ねじと噛み合う雌ねじであることを特徴とすることが好ましい。
【０００９】
上記考案においては、前記棒状部の前記貫通孔への挿入方向側の先部には、前記棒状部の軸線と直交する断面積が、前記挿入側係止部の前記断面積より狭い挿入ガイド部が設けられていることを特徴とすることが好ましい。
【００１０】
上記考案においては、前記棒状部には、前記挿入側係止部と前記受側係止部が係止する範囲において、前記棒状部を前記貫通孔への挿入方向とは反対の方向に付勢する付勢部材が備えられていることを特徴とすることが好ましい。
【００１１】
上記考案においては、前記受け部には、前記挿入側係止部と前記受側係止部が係止する範囲において、前記棒状部の回転に必要となる力を増加させる回転抵抗部が備えられていることを特徴とすることが好ましい。
【００１２】
上記考案においては、前記棒状部の前記貫通孔への挿入方向と反対側の端部には、ハンドル部が設けられていることを特徴とすることが好ましい。
前記支持部には、前記本体部と前記支持部のなす角度を任意の角度で保持する角度変更保持部が備えられていることを特徴とすることが好ましい。
【００１３】
上記考案においては、前記支持部には、前記本体部を脱着可能に保持する保持部が備えられていることを特徴とすることが好ましい。
【考案の効果】
【００１４】
本考案の作業療法用器具によれば、リハビリ運動が行いやすく、高度な巧緻性と手指の筋力が要求される訓練を行うことができるという効果を奏する。
【図面の簡単な説明】
【００１５】
【図１】本考案による作業療法用器具の一実施形態における本体部を示す斜視図である。
【図２】図２（ａ）は、本考案による作業療法用器具の一実施形態における雌ねじ部を示す斜視図である。図２（ｂ）は、本考案による作業療法用器具の一実施形態における雄ねじ部を示す斜視図である。
【図３】本考案による作業療法用器具の一実施形態における使用状態を示す斜視図である。
【図４】本考案による作業療法用器具の一実施形態における使用状態を示す斜視図である。
【図５】本考案による作業療法用器具の他の実施形態における本体部を示す斜視図である。
【図６】図６（ａ）は、本考案による作業療法用器具の他の実施形態における、一つのタイプの雄ねじ部を示す斜視図である。図６（ｂ）は、本考案による作業療法用器具の他の実施形態における、他のタイプの雄ねじ部を示す斜視図である。
【図７】本考案による作業療法用器具の他の実施形態における使用状態を示す斜視図である。
【考案を実施するための形態】
【００１６】
〔第１の実施形態〕
以下、本考案の第１の実施形態に係る作業療法用器具１について、主に図１から図４を参照しながら説明する。本実施形態にかかる作業療法用器具１は、病院やリハビリ施設における作業療法の手指の訓練運動（以降において「リハビリ運動」とも記載する。）に用いられる器具で、本体部２、雄ねじ部３及び雌ねじ部４から主に構成されている。なお、以降の説明において、前後、上下、左右の方向は特に断りの無い限り、図中に示した方向とする。
【００１７】
本体部２は、硬化樹脂などの部材で形成された板状の部材からなり、リハビリ運動を行う作業療法用器具１の使用者（以降において「使用者」とも記載する。）が、詳細は後述する雄ねじ部３を挿入してリハビリ運動を行うものである。本体部２には、雄ねじ部３を挿入するための複数の貫通孔２１が設けられている。この貫通孔２１は、雄ねじ部３が抜き差し自在に挿入される本体部２を貫通する略円柱状の孔である。なお、貫通孔２１は、雄ねじ部３を本体部２に抜き差し自在に挿入できるものであれば、他の形状の貫通孔であっても構わない。なお本実施形態では、貫通孔２１の開口部２５の周囲の部分、及び貫通孔２１の内側の部分（貫通孔２１を囲む本体２の部分）が、使用者が認識しやすい様に、本体部２とは違う色に着色されている例に適用して説明を行うが、その様な着色がされていなくてもよい。
【００１８】
また、本実施形態では、図１に示す様に、本体部２に貫通孔２１が横方向に５列、縦方向に３列の格子状に並んで設けられている例に適用して説明を行うが、貫通孔２１の数やその配置が異なるものであっても構わない。
【００１９】
本体部２には、本体部２を保持するための持ち手部２２が設けられている。本実施形態では、この持ち手部２２が、本体部２の上側の辺に沿って延びる略長方形の孔である例に適用して以降の説明を行うが、持ち手部２２となる略長方形の孔が本体部２の左右の辺に沿って設けられていてもよい。あるいは持ち手部２２が、本体部２の左右、あるいは上側の側面に設けられたＵ字型などの形状をしたハンドルなどの公知の持ち手であってもよい。
【００２０】
本体部２の下側には、本体部２を支持する支持部２３が、ねじや接着剤などの公知の接合手段によって本体部２に接合されている。この支持部２３の下側の下面２４は、本体部２を設置する際に、リハビリ運動が行われるテーブルなどの面と接する平面である。本実施形態では、支持部２３が、本体部２を下面２４（即ち本体部２が設置されるテーブルなどの面）に対して略直交する角度にて支持する例に適用して説明を行うが、支持部２３が異なる角度で本体部２を支持してもよい。また、支持部２３が、本体部２を脱着可能に保持する公知の構造をした保持部や、本体部２と下面２４のなす角度を任意の角度に変更して固定可能な公知の構造をした角度調整付きの保持部を有してもよい。
【００２１】
雄ねじ部３には、ボルト部３１とハンドル部３２とが備えられている。ハンドル部３２は、ボルト部３１の一方の端部に設けられた略円盤状の部分であり、リハビリ運動を行う使用者によって保持される部分である。
【００２２】
ボルト部３１は、円柱状の金属製の部材の側面に、複数のネジ山からなる雄ねじ３３が形成されたものである。ボルト部３１の雄ねじ３３が設けられている部分のネジ山の外径、即ちネジ径は、貫通孔２１の内径よりも細くなっている。このため、ボルト部３１を貫通孔２１に抜き差し自在に挿入できる他、ボルト部３１を貫通孔２１に挿入した状態で、ボルト部３１の軸線３９を中心に雄ねじ部３を回転させることができる。
【００２３】
ボルト部３１のハンドル部３２とは反対側の先側には、雄ねじ３３が形成されていない挿入ガイド部３４が設けられている。この挿入ガイド部３４の直径は、雄ねじ３３の外径（ネジ径）よりも細くなっている。即ち、挿入ガイド部３４の軸線３９に対して直交する断面の面積は、雄ねじ３３が形成されている部分の断面積よりも狭い。なお、ボルト部３１の先側に挿入ガイド部３４を設けない構成としてもよい。
【００２４】
なお、本実施形態における雄ねじ部３あるいはボルト部３１が、実用新案登録請求の範囲における棒状部とされている。また、本実施形態における雄ねじ３３が、実用新案登録請求の範囲における挿入側係止部とされている。
【００２５】
雌ねじ部４は、雄ねじ部３に係止される略円盤形状をした部材である。雌ねじ部４には、その中心部を貫通する円柱状の貫通孔４１が設けられており、その貫通孔４１を取り囲む様に、雌ねじ４２が設けられている。この雌ねじ４２は、前述の雄ねじ３３とかみ合うネジ径及びピッチを有している。この雌ねじ４２を取り囲む様に設けられている略円盤形状の部分が、使用者によって保持されるハンドル部４３である。なお、本実施形態における雌ねじ部４が、実用新案登録請求の範囲における受け部とされている。また本実施形態における雌ねじ４２が、実用新案登録請求の範囲における受側係止部とされている。
【００２６】
次に、上記の構成からなる作業療法用器具１における作用について、使用方法に従って説明する。
はじめに作業療法士や病院のスタッフなどが（以降において「作業療法士等」とも記載する。）、リハビリ運動が行われるテーブル等に作業療法用器具１を配置する。具体的には、作業療法士等が、持ち手部２２などを持って本体部２をテーブル等などの平らな面に置き、使用者が取りやすい場所に複数の雄ねじ部３及び雌ねじ部４を配置する。
【００２７】
使用者は、雄ねじ部３のボルト部３１を任意の貫通孔２１に挿入し、挿入した雄ねじ部３と雌ねじ部４を、ねじる動作を行って係止するリハビリ運動を行う。
以下、具体的に説明すると、雄ねじ部３は、ボルト部３１の先側（ハンドル部３２とは反対側）が貫通孔２１を向く様にして使用者によって保持される。そして、挿入ガイド部３４が、本体部２の一方の側から任意の貫通孔２１に挿入される（図３参照。）。更に雄ねじ部３が貫通孔２１に挿入されると、ボルト部３１の先側の部分が本体部２の反対側から飛び出した状態、即ち雄ねじ部３のボルト部３１が本体部２を貫通した状態となる。
【００２８】
続いて使用者の他方の手に保持された雌ねじ部４の貫通孔４１の開口が、貫通孔２１に挿入されたボルト部３１の先側に近づけられて、ボルト部３１の先側にある挿入ガイド部３４が、雌ねじ部４の貫通孔４１に挿入される。続いて使用者が、一方の手でハンドル部３２を、軸線３９を中心に雄ねじ部３のハンドル部３２側から見て右側の方向（時計方向）に回転させ、他方の手でハンドル部４３をハンドル部３２の回転方向とは反対の方向に回転させると、雄ねじ３３と雌ねじ４２がかみ合って係止され、雌ねじ部４が雄ねじ部３に係合される（以降に於いて、雄ねじ３３と雌ねじ４２がかみ合って係止されることを、「螺合する」とも記載する。）。なお、使用者は、雌ねじ部４は動かさずに雄ねじ部３のみを回転させたり、雄ねじ部３を動かさずに雌ねじ部４を回転させたりして、雄ねじ部３と雌ねじ部４を係合させてもよい。
【００２９】
使用者がハンドル部３２、及びハンドル部４３を更に回転させると、雄ねじ３３と雌ねじ４２との作用により、雄ねじ部３と雌ねじ部４はそれぞれ相対的に近接する方向に移動する。即ち、ハンドル部３２と雌ねじ部４（ハンドル部４３）の相対的な距離が短くなり、ハンドル部３２と雌ねじ部４（ハンドル部４３）は本体部２を挟んで近接する。そして、雄ねじ３３及び雌ねじ４２が所定数回転されると、ハンドル部３２とハンドル部４３が、それぞれ本体部２を挟むように本体部２の前側及び後側の面にそれぞれ当接する(図４参照。)。なお、使用者は、ハンドル部３２とハンドル部４３が本体部２に当接するまでそれぞれを回転させなくてもよい。
【００３０】
本実施形態では、ボルト部３１の長さは、貫通孔２１の延びる方向の長さである本体部２の厚さに、貫通孔４１が延びる方向の長さである雌ねじ部４の厚さを加えた長さと略同一となっている。このため、ハンドル部３２とハンドル部４３が本体部２に当接するまでそれぞれを回転させたとき、ボルト部３１の先端が貫通孔４１から突出しない様になっている。なお、ボルト部３１の長さを、本体部２の厚さと雌ねじ部４の厚さを加えた長さよりも長くしても構わない。あるいは、雄ねじ３３と雌ねじ４２が螺合できる長さであれば、ボルト部３１の長さを、本体部２の厚さと雌ねじ部４の厚さを加えた長さよりも短くしても構わない。
【００３１】
使用者は、他の雄ねじ部３と雌ねじ部４を選択してそれぞれ保持し、他の貫通孔２１にボルト部３１を挿入して同様の操作を繰り返す。本実施形態では、隣り合う貫通孔２１の間隔は、ハンドル部３２やハンドル部４３の径よりも広くなっており、既に挿入されている雄ねじ部３のハンドル部３２や雌ねじ部４のハンドル部４３が、新たに挿入した雄ねじ部３のハンドル部３２や、当該雄ねじ部３と係合する雌ねじ部４のハンドル部４３と接触して邪魔になる事はない。なお、隣り合う貫通孔２１の間隔をハンドル部３２やハンドル部４３の径よりも狭くして、例えば一列おきに雄ねじ部３を挿入する様にしてもよい。
【００３２】
使用者は、必要に応じ、係合している雄ねじ部３と雌ねじ部４を緩めるリハビリ運動を行う。具体的に説明すると、使用者は、一方の手で貫通孔２１に挿入されている任意の雄ねじ部３のハンドル部３２を保持し、他方の手で、当該雄ねじ部３と係合している雌ねじ部４のハンドル部４３を保持する。そして、一方の手でハンドル部３２を雄ねじ部３が挿入されている側から見て左向き（反時計方向）に回転させ、他方の手でハンドル部４３をハンドル部３２の回転方向とは反対の方向に回転させる。雄ねじ３３は、この様に回転されると、雌ねじ４２との作用により、その螺合が緩んで雌ねじ部４から離れる方向に移動する。使用者が更にハンドル部３２及びハンドル部４３を回転させると、雄ねじ３３と雌ねじ４２の螺合が外れ、雄ねじ部３と雌ねじ部４の係合が外れる。雌ねじ部４との係合が外れた雄ねじ部３は、貫通孔２１から引き抜かれる。
【００３３】
上記の構成からなる作業療法用器具１は、ボルト部３１及び雄ねじ３３を備えた雄ねじ部３と、雌ねじ４２を備えた雌ねじ部４を有している。このため、使用者が雄ねじ部３及び雌ねじ部４の少なくともいずれか一方を回転させて、雄ねじ３３と雌ねじ４２を螺合させることにより、ねじる動作のリハビリ運動を行うことができる。また本体部２と、雄ねじ部３と、雌ねじ部４がそれぞれ別体として構成されているため、ねじる動作のリハビリ運動を両手で行うことができる。
【００３４】
本体部２には、雄ねじ部３のボルト部３１が挿入される貫通孔２１が備えられているため、使用者は、ボルト部３１を貫通孔２１に挿入する動作のリハビリ運動をあわせて行うことができる。また、貫通孔２１は、本体部２に複数設けられているため、使用者は繰り返し同様のリハビリ運動を行うことができる。さらに本体部２は、支持部２３によって本体部２が設置される平面に対して略垂直に保持されているため、使用者は手指の可動域を確保した安定した状態でリハビリ運動を行うことができる。更に、貫通孔２１に挿入したボルト部３１が、テーブルなどの平面に当接してしまうといった制限を受けることはない。また、雌ねじ４２は雌ねじ部４を貫通して設けられているため、ボルト部３１の先端部が雌ねじ部４の部分に当接してしまい雄ねじ部３及び雌ねじ部４の回転が制限されてしまうこともない。このため十分な回数のねじる動作のリハビリ運動を行うことが可能である。
【００３５】
雄ねじ部３及び雌ねじ部４は、使用者が保持するためのハンドル部３２及びハンドル部４３をそれぞれ有しているため、使用者は、雄ねじ部３及び雌ねじ部４を容易に保持することができる。また、雄ねじ部３のボルト部３１には、その先側に雄ねじ３３が設けられておらず、他の部分よりも細い挿入ガイド部３４が設けられているため、ボルト部３１の先側の部分を貫通孔２１に挿入する際、雄ねじ３３が貫通孔２１の開口などにあたって邪魔になることなく、容易に挿入することができる。
【００３６】
〔第２の実施形態〕
次に、本考案の第２の実施形態について図５から図７を参照しながら説明する。
本実施形態の基本構成は、第１の実施形態と同様であるが、第１の実施形態とは、本体部及び保持部の構成が主に異なっている。従って本実施例では主に第１の実施例と相違する部分について説明を行う。
【００３７】
本実施形態にかかる作業療法用器具１００は、本体部２００と雄ねじ部３００から主に構成されている。本体部２００は、ボード部２１０、ボード固定部２２０及び支持部２３０とから主に構成されている。
【００３８】
ボード部２１０は、硬化樹脂などから形成された板状の部材である。このボード部２１０には、詳細は後述する雄ねじ部３００のボルト部３１１が挿入される複数の貫通孔２１１が設けられている。この貫通孔２１１は、ボード部２１０を貫通する略円柱状の孔であり、この貫通孔２１１を取り囲むボード部２１０の部分には、詳細は後述するボルト部３１１の雄ねじ３１３と螺合する雌ねじ２１２が形成されている。なお、本実施形態におけるボード部２１０が、実用新案登録請求の範囲における本体部と、雌ねじ２１２が実用新案登録請求の範囲における受け部、及び受側係止部とされている。
【００３９】
貫通孔２１１には、雌ねじ２１２の内径と略同一の直径のバネ形状をした、図示されていない金属製のインサート２１３が挿入されている。このインサート２１３は、樹脂などに形成された雌ねじのねじ山が、雄ねじとの摩擦によって摩耗してしまうこと等を防ぐ公知の部品である。このインサート２１３は、貫通孔２１１に挿入されると雌ねじ２１２のねじ山の、雄ねじと噛み合う面を覆う様に配置される。
【００４０】
なお、一部の貫通孔２１１に挿入されるインサート２１３には、雄ねじ部３００と螺合する際の回転抵抗を増加させる、図示されていないロッキング部２１４が設けられているタイプがある。このインサート２１３のロッキング部２１４が設けられた部分の内径は、インサート２１３の他の部分よりも僅かに狭くなっている。即ちインサート２１３のロッキング部２１４が設けられた部分の内径は、雄ねじ３１３のねじ山の谷の部分の径よりも僅かに狭くなっている。このため、ボルト部３１１を回転させながら貫通孔２１１に挿入し、ボルト部３１１の雄ねじ３１３の端部がロッキング部２１４に達すると、ロッキング部２１４と雄ねじ３１３との間に他の部分よりも大きな抵抗が生じる。このため、雄ねじ部３００を更に回転させるには、ロッキング部２１４が設けられていないインサート２１３が挿入されている場合と比較して、より大きな力が必要となる。なお、以降において、この雄ねじ部３００を回転させるのにより大きな力が必要な状態を「回転抵抗が増した状態」あるいは「回転抵抗が大きな状態」とも記載する。本実施形態におけるロッキング部２１４が、実用新案登録請求の範囲における回転抵抗部とされている。
【００４１】
なお、ボード部２１０の上側の略中央付近には、ボード部２１０をボード固定部２２０に固定するためのねじ孔２１５が設けられている。
本実施形態では、図５に示す様に、貫通孔２１１が縦に７列、横に３行の格子状に設けられ、一列おきにロッキング部２１４が設けられたタイプのインサート２１３が挿入されている例に適用して以降の説明を行う。また、このロッキング部２１４が設けられたインサート２１３が挿入されている貫通孔２１１の開口部の周囲は、ロッキング部２１４が設けられていることを使用者が認識できる様に、ボード部２１０とは異なる色にて略円環状に着色されているものとする。なお、貫通孔２１１の数やその配列は任意であり、また、ロッキング部２１４が設けられたタイプのインサート２１３は、任意の位置の貫通孔２１１に挿入されていてもよい。また、このロッキング部２１４が設けられたインサート２１３が挿入されている貫通孔２１１の開口部に着色を行わない構成としてもよい。また、貫通孔２１１に、内側に雌ねじが形成された金属製の略円柱状の部材であるインサートナットなどが挿入された構成としてもよい。
【００４２】
ボード固定部２２０は、ボード部２１０を脱着可能に保持する板状の枠である。その中心部分には、図示されていない矩形の開口が設けられており、貫通孔２１１に挿入したボルト部３１１がボード固定部２２０に当接してしまうことはない。ボード固定部２２０の下側の左右の部分には、ボード固定部２２０の下側の辺を保持する固定具２２１がそれぞれ設けられている。この固定具２２１には、その上側にボード部２１０の厚さと略同一の幅の断面略Ｌ字の切り欠きが設けられている。ボード部２１０の下側の部分は、この切り欠きに挿入されて保持され、ボード部２１０の上側の部分は、ねじ孔２１５に挿入された留めねじ２２２によってボード固定部２２０に固定される。
【００４３】
支持部２３０は、ボード固定部２２０を任意の角度で保持する部分で、台座フレーム２３１、及び一対のアーム部２３２から主に構成されている。台座フレーム２３１は、テーブルなどの水平な面と接する部分である。アーム部２３２は、台座フレーム２３１とボード固定部２２０のなす角度を一定に保って固定する部分である。アーム部２３２の一方の端部は、ボード固定部２２０の左右の辺の下側の部分に、その端部を中心に回転可能に固定されている。また、アーム部２３２のもう一方の端部は、台座フレーム２３１の左右の側面に設けられた、詳細は後述するロック部２３４に回転可能に固定されている。
【００４４】
台座フレーム２３１の左右の側面には、スライド部２３３が設けられている。このスライド部２３３は、前後方向に延びる長孔のスライド孔が備えられており、このスライド孔にロック部２３４が前後方向に移動可能に固定されている。ロック部２３４には、ロック部２３４をスライド孔の任意の位置で固定するロックつまみ２３５が設けられている。ロック部２３４は、ロックつまみ２３５が操作されてロック状態にされると、スライド部２３３のスライド孔の任意の位置に固定され、ロックつまみ２３５が解除状態にされると、スライド孔の任意の場所に移動可能となる。この操作により、使用者あるいは作業療法士等は、ボード固定部２２０と台座フレーム２３１のなす角度を任意の角度に調整して固定することができる。本実施形態では、この角度は０〜９０度の角度範囲で任意に変更することが可能である例に適用して以降の説明を行うが、他の角度範囲で任意に変更することが可能であっても構わない。また、スライド部２３３やロック部２３４などの機構を有さず、ボード固定部２２０と台座フレーム２３１が所定の角度で固定された構成であっても構わない。
【００４５】
なお、本実施形態における支持部２３０（台座フレーム２３１）が、実用新案登録請求の範囲における支持部とされている。また、アーム部２３２、スライド部２３３、ロック部２３４及びロックつまみ２３５が実用新案登録請求の範囲における角度変更保持部とされている。また、ボード固定部２２０（ボード固定部２２０に固定されたボード部２１０）と台座フレーム２３１のなす角度が、実用新案登録請求の範囲における本体部と支持部のなす角度とされている。
【００４６】
雄ねじ部３００は、ハンドル部３１２とボルト部３１１から主に構成されている。ハンドル部３１２は、ボルト部３１１の一方の端部に設けられた使用者によって保持される部分である。ボルト部３１１は、貫通孔２１１に挿入される金属からなる円柱状の部分であり、その側面には、雌ねじ２１２のネジ径と略同一のネジ径の雄ねじ３１３が設けられている。即ちボルト部３１１は、その軸線３１９を中心に所定の方向に回転されると、雌ねじ２１２と螺合して貫通孔２１１に挿入される部分である。
【００４７】
また、ボルト部３１１のハンドル部３１２とは反対側の先側には、雄ねじ３１３が設けられておらず、ボルト部３１１の他の部分よりも細い挿入ガイド部３１４が設けられている。
【００４８】
なお雄ねじ部３００には、ハンドル部３１２とボルト部３１１のみからなるノーマルタイプ３１０（図６（ａ）参照）と、バネ３２１の設けられたバネタイプ３２０（図６（ｂ）参照）の２つのタイプがある。このバネタイプ３２０には、らせん状のバネ３２１が、ボルト部３１１の雄ねじ３１３の周囲を囲む様にして配置されている。バネ３２１の一端はハンドル部３１２に固定されており、他の端部にはリング３２２に固定されている。リング３２２は、略円形の鋼板の中心がボルト部３１１よりも大きな径でくり抜かれた円環状の部材であり、このくり抜かれた部分にボルト部３１１が貫通される様に配置されている。なお、バネ３２１の軸線３１９方向の長さは、ボルト部３１１の雄ねじ３１３が設けられている部分の長さよりも僅かに短くなっている。そして、リング３２２は、挿入ガイド部３１４と雄ねじ３１３の先側の端部との境界とほぼ同じ位置か、その境界よりもハンドル部３１２側に配置されている。
【００４９】
リング３２２は、バネタイプ３２０の雄ねじ部３００を貫通孔２１１に挿入する際に、ボード部２１０と当接する部分である。即ち、バネタイプ３２０を貫通孔２１１に挿入すると、リング３２２がボード部２１０に当接し、更に挿入するとリング３２２に接続されているバネ３２１が、挿入方向とは反対側の方向に雄ねじ部３００を付勢する。即ち、使用者は、バネタイプ３２０を挿入する際には、ノーマルタイプ３１０よりもより大きな力でバネタイプ３２０を挿入する必要があり、換言すれば、より大きな力でハンドル部３１２を回す必要のある回転抵抗が大きな状態となる。なおバネタイプ３２０は、リハビリ運動の用途や使用者の状態に応じ、バネ３２１のバネ定数（バネの強さ）が異なる複数の種類が選択可能なものとしてもよい。
【００５０】
本実施形態における雄ねじ部３００あるいはボルト部３１１が、実用新案登録請求の範囲における棒状部とされている。また、バネ３２１が、実用新案登録請求の範囲における付勢部材とされている。
【００５１】
なお、ノーマルタイプ３１０とバネタイプ３２０のハンドル部３１２の形状は、図６（ａ）及び図６（ｂ）に示す様にそれぞれ異なる形状となっている。使用者は、このハンドル部３１２の形状の違いからも、そのタイプの違いを識別することができる。また、ハンドル部３１２はこの他、他の形状のハンドルを用いることが可能である。例えば円柱の５箇所の部分を面取りしたハンドル部３１２ａや、円柱の５箇所の部分を面取りしたハンドル部３１２ｂや、図示されていないその他の形状のハンドルを用いることも可能である（図７参照）。なお、本実施形態におけるハンドル部３１２が、実用新案登録請求の範囲におけるハンドル部とされている。
＜使用方法の説明＞
次に、上記の構成からなる作業療法用器具１００の作用について、その使用方法と共に説明する。
【００５２】
はじめに使用者の選択により、あるいは作業療法士等の指示に従って、使用者は、任意のタイプの雄ねじ部３００を保持する。今、使用者がノーマルタイプ３１０の雄ねじ部３００（以降において「ノーマルタイプ３１０」とも記載する。）を選択し、ロッキング部２１４を有するインサート２１３が挿入された貫通孔２１１にノーマルタイプ３１０を挿入する例に適用して以降の説明を行う。
【００５３】
使用者に選択されたノーマルタイプ３１０は、その挿入ガイド部３１４が貫通孔２１１に向かう向きで使用者によって保持され、挿入ガイド部３１４が貫通孔２１１の開口に挿入される。挿入ガイド部３１４が貫通孔２１１に挿入され、使用者がハンドル部３１２を、ボルト部３１１の軸線３１９を中心に右方向（雄ねじ部３００をハンドル部３１２側から見て時計方向）に回すと、雄ねじ３１３と雌ねじ２１２が螺合する。更に使用者がハンドル部３１２を同一の方向に回すと、雄ねじ３１３と雌ねじ２１２は更に螺合する。雄ねじ３１３と雌ねじ２１２が螺合すると、雄ねじ３１３と雌ねじ２１２の作用により、雄ねじ部３００はボード部２１０に近づく方向に移動する。雄ねじ部３００が回転されながら貫通孔２１１に挿入され、雄ねじ３１３の先側の端部がインサート２１３のロッキング部２１４が設けられている部分に達すると、ボルト部３１１はロッキング部２１４から摩擦力を受ける。即ち、雄ねじ３１３とロッキング部２１４との摩擦が生じ、回転抵抗が増した状態となる。このため、使用者は、貫通孔２１１にボルト部３１１を挿入するために、それまでよりもより大きな力でハンドル部３１２を回すことが必要になる。
【００５４】
ハンドル部３１２のボード部２１０側の面が、ボード部２１０の前側の面と当接する事により、あるいは使用者がハンドル部３１２を回す動作を止めることにより、ボルト部３１１は貫通孔２１１に挿入された状態で固定される。
【００５５】
続いて使用者は、他の任意の雄ねじ部３００を選択し、同様に貫通孔２１１に挿入する。以降において、使用者がノーマルタイプ３１０を選択し、ロッキング部２１４を有しないインサート２１３が挿入された貫通孔２１１に挿入する例に適用して説明を行う。
【００５６】
使用者に選択されたノーマルタイプ３１０は、その挿入ガイド部３１４が貫通孔２１１に向かう向きで使用者によって保持され、挿入ガイド部３１４が貫通孔２１１の開口に挿入される。挿入ガイド部３１４が貫通孔２１１に挿入され、使用者がハンドル部３１２を、ボルト部３１１の軸線３１９を中心に右方向に回すと、雄ねじ３１３と雌ねじ２１２が螺合し、雄ねじ部３００はボード部２１０に近づく方向に移動する。なお、この場合、ロッキング部２１４を備えたインサート２１３が挿入された貫通孔２１１に挿入した場合と比べその回転抵抗は少ない。
【００５７】
ハンドル部３１２のボード部２１０側の面が、ボード部２１０の前側の面と当接する事により、あるいは使用者がハンドル部３１２を回す動作を止めることにより、ボルト部３１１は貫通孔２１１に挿入された状態で固定される。
【００５８】
続いて使用者は、他の任意の雄ねじ部３００を選択し、同様に貫通孔２１１に挿入する。使用者がバネタイプ３２０の雄ねじ部３００（以降において「バネタイプ３２０」とも記載する。）を選択して貫通孔２１１に挿入する例に適用して以降の説明を行うと、バネタイプ３２０は、その挿入ガイド部３１４が貫通孔２１１に向かう向きで使用者に保持され、貫通孔２１１の開口に挿入される。挿入ガイド部３１４が貫通孔２１１に挿入され、使用者がハンドル部３１２をボルト部３１１の軸線３１９を中心に右方向（雄ねじ部３００をハンドル部３１２側から見て時計方向）に回すと、雄ねじ３１３と雌ねじ２１２が螺合する。更に使用者がハンドル部３１２を同一の方向に回すと、雄ねじ３１３と雌ねじ２１２が更に螺合して、ボルト部３１１が貫通孔２１１に挿入される。雄ねじ３１３と雌ねじ２１２が螺合して挿入ガイド部３１４が貫通孔２１１に挿入されると、リング３２２がボード部２１０の前側の面と接触する。そしてバネ３２１がハンドル部３１２を、ボルト部３１１の挿入方向とは反対の方向に付勢する。この際、使用者は、貫通孔２１１にボルト部３１１を挿入するために、それまでよりもより大きな力で、あるいはノーマルタイプ３１０に要する力よりもより大きな力でハンドル部３１２を回すことが必要になる。即ち、ノーマルタイプ３１０と比べ、バネタイプ３２０の回転抵抗は大きな状態となっている。
【００５９】
ボルト部３１１が貫通孔２１１に挿入されてバネ３２１が完全に圧縮されたことにより、あるいは使用者がハンドル部３１２を回す動作を停止したことにより、ボルト部３１１は貫通孔２１１に挿入された状態で固定される。使用者は、他の雄ねじ部３００を選択し、上述の作業を繰り返す。
【００６０】
必要に応じ使用者は、貫通孔２１１に挿入された雄ねじ部３００を緩めるリハビリ運動を行う。具体的には、使用者は貫通孔２１１に挿入された雄ねじ部３００のハンドル部３１２を、ボルト部３１１の軸線３１９を中心に左方向（雄ねじ部３００をハンドル部３１２側から見て反時計方向）に回すことにより、雄ねじ３１３と雌ねじ２１２の螺合を緩めるリハビリ運動を行う。ハンドル部３１２が左方向（反時計方向）に回されると、ボルト部３１１は、雌ねじ２１２との作用により貫通孔２１１から引き抜かれる方向に移動する。そして使用者が所定の回数ハンドル部３１２を回転すると、雄ねじ３１３と雌ねじ２１２の螺合が外れ、雄ねじ部３００は貫通孔２１１から完全に引き抜かれる。この様にすることにより、使用者は挿入時とは逆の方向にねじる動作のリハビリ運動を行う。
【００６１】
上記の構成からなる作業療法用器具１００においては、雌ねじ２１２がボード部２１０に一体として設けられている。このため、使用者は片手でねじる動作を行うリハビリ運動を行うことが可能となる。また、ボード部２１０と台座フレーム２３１の角度を任意の角度に調整することができるため、作業療法士等、あるいは使用者は、ボード部２１０の角度を使用者がリハビリ運動を行い易い角度に調節して固定することができる。
【００６２】
更にボード部２１０は、固定具２２１と留めねじ２２２によってボード固定部２２０に脱着可能に固定されている。このため、留めねじ２２２を緩めて取り外すだけの簡易な操作で、ボード部２１０を上側に引き抜き、貫通孔２１１の数やその配置、及びロッキング部２１４を有したインサート２１３の挿入位置が異なる様々な種類のボード部２１０と交換することを容易に行うことができる。
【００６３】
また雄ねじ部３００は、ハンドル部３１２をボルト部３１１の挿入方向とは反対の方向に付勢するバネ３２１を備えたバネタイプ３２０と、そのようなバネ３２１を備えないノーマルタイプ３１０がある。このため、リハビリの目的及び使用者の状態によって回転抵抗の異なる雄ねじ部３００を選択することができる。また、ボード部２１０には、ロッキング部２１４が備えられたインサート２１３が挿入された貫通孔２１１と、ロッキング部２１４が備えられていないインサート２１３が挿入された貫通孔２１１がそれぞれ設けられている。このため、雄ねじ部３００を挿入する貫通孔２１１の選択によって、回転抵抗の異なるねじる動作のリハビリ運動を行う事が可能となる。また、例えばロッキング部２１４が備えられたインサート２１３が挿入された貫通孔２１１をランダムの位置に配置し、使用者がどの貫通孔２１１の回転抵抗が大きいか分からない様にすることで、異なる刺激を与える事の可能な作業療法用器具１００とすることもできる。
【００６４】
また、雄ねじ部３００のハンドル部３１２は、様々な形状とすることが可能であるため、例えばノーマルタイプ３１０とバネタイプ３２０のハンドル部３１２を異なる形状として、その識別可能を容易にすることも可能である。また、ハンドル部３１２の形状を使用者に応じてより持ちやすい形状としたり、様々な形状によって得られる異なる触感による刺激を使用者に与えたりすることも可能である。
【００６５】
なお、本考案の技術範囲は上記実施形態に限定されるものではなく、本考案の趣旨を逸脱しない範囲において種々の変更を加えることが可能であり、例えば第１の実施形態の構成と、第２の実施形態の構成を組み合わせた構成としてもよい。例えば、雌ねじ４２に、ロッキング部２１４を設けた構成としてもよい。また、雄ねじ３３や雄ねじ３１３に、雌ねじ４２及び雌ねじ２１２との回転抵抗を増す構造を設けた構成としてもよい。更に、第１の実施形態における雄ねじ３３と雌ねじ４２、あるいは第２の実施形態における雌ねじ２１２と雄ねじ３１３の代わりに、少なくとも一方が回転することでそれぞれが回転自在に係止される公知の係止構造を用いてもよい。
【符号の説明】
【００６６】
１・・・作業療法用器具    ２・・・本体部    ３・・・雄ねじ部    
４・・・雌ねじ部    ２１・・・貫通孔    ２２・・・持ち手部
２３・・・保持部    ２４・・・下面    ３１・・・ボルト部
３２・・・ハンドル部    ３３・・・雄ねじ    ３４・・・挿入ガイド部
３９・・・軸線    ４１・・・貫通孔    ４２・・・雌ねじ
４３・・・ハンドル部
１００・・・作業療法用器具    ２００・・・本体部    ２１０・・・ボード部
２１１・・・貫通孔    ２１２・・・雌ねじ    ２１３・・・インサート
２１４・・・ロッキング部    ２１５・・・ねじ孔    ２２０・・・ボード固定部
２２１・・・固定具    ２２２・・・留めねじ    ２３０・・・保持部
２３１・・・台座フレーム    ２３２・・・アーム部    ２３３・・・スライド部
２３４・・・ロック部    ３００・・・雄ねじ部    ３１０・・・ノーマルタイプ
３１１・・・ボルト部    ３１２・・・ハンドル部    ３１３・・・雄ねじ
３１４・・・挿入ガイド部    ３１９・・・軸線    ３２０・・・バネタイプ
３２１・・・バネ    ３２２・・・リング
【図１】
0003211928.tif 000003
【図２】
0003211928.tif 000004
【図３】
0003211928.tif 000005
【図４】
0003211928.tif 000006
【図５】
0003211928.tif 000007
【図６】
0003211928.tif 000008
【図７】
0003211928.tif 000009